(57)【要約】【課題】  無駄な過給アシストを防止して燃費悪化を抑制することができ、実用性に優れた内燃機関用過給システムを提供する。【解決手段】  本発明の内燃機関用過給システムは、ターボ過給機２と、ターボ過給機２の上流又は下流の吸気管４に設けられた電動コンプレッサ３と、電動コンプレッサ３による過給アシスト要求の有無を判定する過給アシスト要求判定手段とを具備する。そして、この過給アシスト要求判定手段は、アクセル開度に応じて要求燃料噴射量を推定する燃料噴射量推定手段を備える。その推定結果が所定燃料噴射量以上になったときは、電動コンプレッサ３を作動する。【選択図】      図１
2005220822.tif 000002
【特許請求の範囲】
【請求項１】
吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサによる過給アシスト要求の有無を判定する過給アシスト要求判定手段と、前記過給アシスト要求判定手段が前記過給アシスト要求があると判定した場合に前記電動コンプレッサを作動するように該電動コンプレッサを制御する電動コンプレッサ制御手段と、を具備する内燃機関用過給システムにおいて、
前記過給アシスト要求判定手段は、アクセル開度に応じて要求燃料噴射量を推定する燃料噴射量推定手段を備え、前記燃料噴射量推定手段の推定結果が所定燃料噴射量以上になることを条件として前記過給アシスト要求があると判定することを特徴とする内燃機関用過給システム。
【請求項２】
吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサによる過給アシスト要求の有無を判定する過給アシスト要求判定手段と、前記過給アシスト要求判定手段が前記過給アシスト要求があると判定した場合に前記電動コンプレッサを作動するように該電動コンプレッサを制御する電動コンプレッサ制御手段と、を具備する内燃機関用過給システムにおいて、
前記吸気通路内の圧力を検出又は推定する吸気通路圧力検出手段を更に具備し、
前記過給アシスト要求判定手段は、前記吸気通路圧力検出手段の検出結果と、機関回転数及び燃料噴射量に応じて定められる目標圧力とを比較し、これらの差が所定圧力差以上になることを条件として前記過給アシスト要求があると判定することを特徴とする内燃機関用過給システム。
【請求項３】
吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサを迂回するバイパス通路と、前記バイパス通路に設けられ、該バイパス通路への空気の流入及びその禁止を切り替える切替弁と、前記切替弁を開閉する切替弁制御手段と、前記電動コンプレッサの作動状態を作動及び非作動に切り替える電動コンプレッサ制御手段と、を具備する内燃機関用過給システムにおいて、
作動中の前記電動コンプレッサの過剰なアシストを抑制する過剰アシスト抑制手段を更に具備し、
前記過剰アシスト抑制手段が前記過剰なアシストが行われるおそれがあると判断した場合には、前記電動コンプレッサ制御手段は前記電動コンプレッサを非作動とするとともに、前記切替弁制御手段は前記バイパス通路に空気が流入するように前記切替弁を開弁することを特徴とする内燃機関用過給システム
【請求項４】
前記ターボ過給機の回転数を検出又は推定するターボ回転数検出手段を更に具備し、
前記過剰アシスト抑制手段は、前記ターボ回転数検出手段の検出結果が所定回転数以上になったことを条件として前記過剰なアシストが行われるおそれがあると判断する、ことを特徴とする請求項３に記載の内燃機関用過給システム。
【請求項５】
前記ターボ過給機の前記コンプレッサの出口温度を検出又は推定するターボコンプレッサ出口温度検出手段を更に具備し、
前記過剰アシスト抑制手段は、前記ターボコンプレッサ出口温度検出手段の検出結果がが所定温度以上に上昇したことを条件として前記過剰アシストが行われるおそれがあると判断する、ことを特徴とする請求項３に記載の内燃機関用過給システム
【請求項６】
吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサの作動状態を作動及び非作動に切り替えるように前記電動コンプレッサを制御する電動コンプレッサ制御手段と、を具備する内燃機関用過給システムにおいて、
排気ガスの一部を前記吸気通路に還流させる排気還流通路と、前記吸気通路に還流させる排気ガスの量を調整する排気還流弁とを更に具備し、
前記電動コンプレッサ制御手段は、排気ガスを前記吸気通路に還流させる状態にある場合には前記電動コンプレッサを非作動とすることを特徴とする内燃機関用過給システム。
【請求項７】
吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサを迂回するバイパス通路と、前記バイパス通路に設けられ、該バイパス通路への空気の流入及びその禁止を切り替える切替弁と、前記切替弁を開閉する切替弁制御手段と、前記電動コンプレッサの作動状態を作動及び非作動に切り替える電動コンプレッサ制御手段と、を具備する内燃機関用過給システムにおいて、
作動中の前記電動コンプレッサのチョークの発生を予測するチョーク発生予測手段を更に具備し、
前記チョーク発生予測手段が前記チョークの発生を予測した場合には、前記電動コンプレッサ制御手段は前記電動コンプレッサを非作動とするとともに、前記切替弁制御手段は前記バイパス通路に空気が流入するように前記切替弁を開弁することを特徴とする内燃機関用過給システム。
【請求項８】
前記電動コンプレッサの下流の前記吸気通路の圧力を検出又は推定する下流吸気圧力検出手段を更に具備し、
前記チョーク発生予測手段は、前記下流吸気圧力検出手段の検出結果が所定圧力以下に低下していることを条件として前記チョークの発生を予測する、ことを特徴とする請求項７に記載の内燃機関用過給システム。
【請求項９】
吸入空気の質量流量を検出又は推定する吸入空気量検出手段を更に具備し、
前記チョーク発生予測手段は、前記電動コンプレッサ又は内燃機関の回転数に基づいて前記電動コンプレッサの限界吸入空気量を推定する限界吸入空気量推定手段を備え、前記吸入空気量検出手段の検出結果を判定値とするとともに、該判定値が前記限界吸入空気量推定手段により推定された限界吸入空気量に達していることを条件として前記チョークの発生を予測する、ことを特徴とする請求項７に記載の内燃機関用過給システム。
【請求項１０】
前記電動コンプレッサの上流の吸気圧力を検出又は推定する上流吸気圧力検出手段と、前記電動コンプレッサの上流の吸気温度を検出又は推定する上流吸気温度検出手段とを更に具備し、
前記チョーク発生予測手段は、前記上流吸気圧力検出手段及び前記上流吸気温度検出手段の検出結果に基づいて前記吸入空気量検出手段の検出結果を体積流量に変換し、該変換された値を前記判定値として用いる、ことを特徴とする請求項９に記載の内燃機関用過給システム。
【請求項１１】
前記電動コンプレッサの下流の吸気温度を検出又は推定する下流吸気温度検出手段を更に具備し、
前記チョーク発生予測手段は、前記下流吸気温度検出手段の検出結果が所定温度以上になったことを条件として前記チョークの発生を予測する、ことを特徴とする請求項７に記載の内燃機関用過給システム。
【請求項１２】
前記電動コンプレッサは、前記ターボ過給機の前記コンプレッサの上流の前記吸気通路に設けられており、
前記電動コンプレッサの下流の吸気温度を検出又は推定する下流吸気温度検出手段を更に具備し、
前記チョーク発生予測手段は、前記下流吸気温度検出手段の検出結果と大気温度との差が所定温度差以上になったことを条件として前記チョークの発生を予測する、ことを特徴とする請求項７に記載の内燃機関用過給システム。
【請求項１３】
前記電動コンプレッサは、前記ターボ過給機の前記コンプレッサの下流の前記吸気通路に設けられており、
前記電動コンプレッサの下流の吸気温度を検出又は推定する下流吸気温度検出手段と、前記電動コンプレッサの上流の吸気温度を検出又は推定する上流吸気温度検出手段とを更に具備し、
前記チョーク発生予測手段は、前記下流吸気温度検出手段の検出結果と前記上流吸気温度検出手段の検出結果との差が所定温度差以上になったことを条件として前記チョークの発生を予測する、ことを特徴とする請求項７に記載の内燃機関用過給システム。
【請求項１４】
電動コンプレッサの入口圧力を検出又は推定する入口圧力検出手段を更に具備し、
前記チョーク発生予測手段は、前記入口圧力検出手段の検出結果が所定圧力以下になったことを条件として前記チョークの発生を予測する、ことを特徴とする請求項７に記載の内燃機関用過給システム。
【請求項１５】
前記電動コンプレッサは、前記ターボ過給機の前記コンプレッサの上流の前記吸気通路に設けられており、
電動コンプレッサの入口圧力を検出又は推定する入口圧力検出手段を更に具備し、
前記チョーク発生予測手段は、前記入口圧力検出手段の検出結果と大気圧力との差が所定圧力差以下になったことを条件として前記チョークの発生を予測する、ことを特徴とする請求項７に記載の内燃機関用過給システム。
【請求項１６】
前記電動コンプレッサは、前記ターボ過給機の前記コンプレッサの下流の前記吸気通路に設けられており、
前記電動コンプレッサの下流の前記吸気通路の圧力を検出又は推定する下流吸気圧力検出手段と、前記電動コンプレッサの入口圧力を検出又は推定する入口圧力検出手段とを更に具備し、
前記チョーク発生予測手段は、前記下流吸気圧力検出手段の検出結果と前記入口圧力検出手段の検出結果との差が所定圧力差以下になったことを条件として前記チョークの発生を予測する、ことを特徴とする請求項７に記載の内燃機関用過給システム。
【発明の詳細な説明】
【技術分野】
【０００１】
本発明は、内燃機関用過給システムに関する。
【背景技術】
【０００２】
内燃機関用過給システムとして、ターボチャージャーと直列又は並列に電動コンプレッサを接続し、この電動コンプレッサによって過給アシストするものが知られている（例えば特許文献１参照）。その他、本発明に関連する先行技術文献として、特許文献２及び特許文献３が存在する。
【特許文献１】特表２０００−５００５４４号公報
【特許文献２】特表２００１−５０９５６１号公報
【特許文献３】特表２００１−５１８５９０号公報
【発明の開示】
【発明が解決しようとする課題】
【０００３】
電動コンプレッサを作動して過給アシストを実施するためには電力を要するので、過給アシストは必要最小限に留め、燃費悪化に配慮する必要がある。
【０００４】
しかしながら、上記特許文献１には、ブースト圧センサ及びスロットルセンサの入力信号を電動コンプレッサの制御に利用し、急加速が予測されるときに電動コンプレッサを作動してターボチャージャーのタイムラグを補償する内燃機関用過給システムが開示されているが、更に具体的な電動コンプレッサの作動及び非作動の条件は開示されていない。このため、無駄な過給アシストが行われ燃費悪化を招くおそれがある。また、上記特許文献１には、ターボ過給機と電動コンプレッサとの接続態様を直列又は並列切り替えることが開示されているが、電動コンプレッサを非作動とする詳細な条件は開示されていない。そのため、例えば電動コンプレッサをチョークさせることなく広範囲で作動させるためには電動コンプレッサの容量を大きなものとする必要がある。その結果、モータ等の駆動装置を大きなものにしなければならず、電動コンプレッサの消費電力が増大し燃費悪化を招くおそれがある。
【０００５】
また、上記のような過給システムを、吸気管に排気ガスを還流する内燃機関に適用する場合には、電動コンプレッサの作動が外乱となって吸気管内の圧力変動が起こり、好適な排気ガスの還流量が得られずに排気エミッションを悪化させるおそれがある。従って、排気ガスの還流と過給アシストとの関係を考慮して、電動コンプレッサの作動条件を定める必要がある。しかしながら、上記特許文献１にはこのような配慮はなされていない。このため、内燃機関用過給システムの適用対象が限られてしまい、システムの実用性に欠けるおそれがある。
【０００６】
そこで、本発明は、無駄な過給アシストを防止して燃費悪化を抑制することができ、実用性に優れた内燃機関用過給システムを提供することを目的とする。
【課題を解決するための手段】
【０００７】
本発明の第１の内燃機関用過給システムは、吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサによる過給アシスト要求の有無を判定する過給アシスト要求判定手段と、前記過給アシスト要求判定手段が前記過給アシスト要求があると判定した場合に前記電動コンプレッサを作動するように該電動コンプレッサを制御する電動コンプレッサ制御手段と、を具備する内燃機関用過給システムにおいて、前記過給アシスト要求判定手段は、アクセル開度に応じて要求燃料噴射量を推定する燃料噴射量推定手段を備え、前記燃料噴射量推定手段の推定結果が所定燃料噴射量以上になることを条件として前記過給アシスト要求があると判定することにより、上記課題を解決する（請求項１）。
【０００８】
機関回転数が上昇すると要求燃料噴射量は減少する特性がある。従って、この発明によれば、アクセル開度に応じて推定される要求燃料噴射量を過給アシスト要求の判断材料としているので、必ずしも電動コンプレッサによる過給アシストを必要としない高回転領域等において無駄な過給アシストを抑制することができる。よって、過給アシストが必要な要求燃料噴射量の範囲の下限値として所定燃料噴射量を定めてこれを過給アシスト要求の判断材料とすれば、過給アシストが必要な適切な時期に過給アシストが実行されることになる。これにより、アクセル開度のみで過給アシスト要求の有無を判断する態様と比べ、無駄な過給アシストを抑制することができる。
【０００９】
また、内燃機関のインジェクタへ最終的に指示される燃料噴射量指令値は、アクセル開度と機関回転数等に基づいて推定された要求燃料噴射量よりも少なめに見積もられている。この燃料噴射量指令値は、加速意思とは直接関係しない排気エミッションの悪化防止等の理由を考慮して決定されている。このため、最終的にインジェクタに指示される燃料噴射量指令値に基づいて加速要求の程度を判定するよりも、要求燃料噴射量に基づいて加速要求の程度を判定するほうが、加速の意思が正確に反映される。従って、この発明によれば、アクセル開度に応じて要求燃料噴射量を推定し、その推定結果により加速要求の程度を判断しているので、的確な時期に過給アシストが行われ、無駄な過給アシストが減少する。
【００１０】
また、本発明の第２の内燃機関用過給システムは、吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサによる過給アシスト要求の有無を判定する過給アシスト要求判定手段と、前記過給アシスト要求判定手段が前記過給アシスト要求があると判定した場合に前記電動コンプレッサを作動するように該電動コンプレッサを制御する電動コンプレッサ制御手段と、を具備する内燃機関用過給システムにおいて、前記吸気通路内の圧力を検出又は推定する吸気通路圧力検出手段を更に具備し、前記過給アシスト要求判定手段は、前記吸気通路圧力検出手段の検出結果と、機関回転数及び燃料噴射量に応じて定められる目標圧力とを比較し、これらの差が所定圧力差以上になることを条件として前記過給アシスト要求があると判定することにより、上述した課題を解決する（請求項２）。
【００１１】
目標となる吸気管圧力（過給圧）は、例えば燃料噴射量や機関回転数等の運転条件に応じて好適な値が予め定められている。この目標となる吸気管圧力と現在の圧力との差が大きければ、それだけ過給不足であることが認められる。この発明によれば、このような場合に電動コンプレッサを作動して過給アシストを実行しているので、無駄な過給アシストが減少する。
【００１２】
本発明の第３の内燃機関用過給システムは、吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサを迂回するバイパス通路と、前記バイパス通路に設けられ、該バイパス通路への空気の流入及びその禁止を切り替える切替弁と、前記切替弁を開閉する切替弁制御手段と、前記電動コンプレッサの作動状態を作動及び非作動に切り替える電動コンプレッサ制御手段と、を具備する内燃機関用過給システムにおいて、作動中の前記電動コンプレッサの過剰なアシストを抑制する過剰アシスト抑制手段を更に具備し、前記過剰アシスト抑制手段が前記過剰なアシストが行われるおそれがあると判断した場合には、前記電動コンプレッサ制御手段は前記電動コンプレッサを非作動とするとともに、前記切替弁制御手段は前記バイパス通路に空気が流入するように前記切替弁を開弁することにより上述した課題を解決する（請求項３）。
【００１３】
電動コンプレッサにより過剰なアシストが行われると、燃費悪化を招くばかりでなく、ターボ過給機が過回転したり吸気温度が上昇する。これにより、電動コンプレッサやターボ過給機に対して過大な負荷を課すことになる。この発明によれば、電動コンプレッサによる過剰なアシストが行われることを抑制できるので、内燃機関用過給システムの安全性を高めるとともに燃費悪化を抑制することができる。
【００１４】
本発明の第３の内燃機関用過給システムにおいて、前記ターボ過給機の回転数を検出又は推定するターボ回転数検出手段を更に具備し、前記過剰アシスト抑制手段は、前記ターボ回転数検出手段の検出結果が所定回転数以上になったことを条件として前記過剰なアシストが行われるおそれがあると判断してもよい（請求項４）。この場合は、ターボ過給機の回転数を監視してターボ過給機の過回転を事前に回避し、過剰な過給アシストを抑制することができる。
【００１５】
本発明の第３の内燃機関用過給システムにおいて、前記ターボ過給機の前記コンプレッサの出口温度を検出又は推定するターボコンプレッサ出口温度検出手段を更に具備し、前記過剰アシスト抑制手段は、前記ターボコンプレッサ出口温度検出手段の検出結果が所定温度以上に上昇したことを条件として前記過剰アシストが行われるおそれがあると判断してもよい（請求項５）。ターボ過給機のコンプレッサの出口温度はターボ過給機の回転数と相関する物理量であるので、ターボ過給機の回転数を直接監視せずにターボ過給機の過回転を事前に回避することができる。
【００１６】
本発明の第４の内燃機関用過給システムは、吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサの作動状態を作動及び非作動に切り替えるように前記電動コンプレッサを制御する電動コンプレッサ制御手段と、を具備する内燃機関用過給システムにおいて、排気ガスの一部を前記吸気通路に還流させる排気還流通路と、前記吸気通路に還流させる排気ガスの量を調整する排気還流弁とを更に具備し、前記電動コンプレッサ制御手段は、排気ガスを前記吸気通路に還流させる状態にある場合には前記電動コンプレッサを非作動とすることにより、上述した課題を解決する（請求項６）。
【００１７】
電動コンプレッサを作動すると、吸気系の圧力変動を生じるので排気還流を実施するうえで電動コンプレッサによる過給アシストが外乱となり、効果的な排気還流を妨げるおそれがある。この発明によれば、排気還流を実施するときには電動コンプレッサを非作動として排気ガスの還流が優先されるので、排気エミッションの悪化を抑制することができる。
【００１８】
本発明の第５の内燃機関用過給システムは、吸気通路に設けられたコンプレッサ及び排気通路に設けられたタービンを有するターボ過給機と、前記ターボ過給機の前記コンプレッサの上流又は下流の前記吸気通路に設けられた電動コンプレッサと、前記電動コンプレッサを迂回するバイパス通路と、前記バイパス通路に設けられ、該バイパス通路への空気の流入及びその禁止を切り替える切替弁と、前記切替弁を開閉する切替弁制御手段と、前記電動コンプレッサの作動状態を作動及び非作動に切り替える電動コンプレッサ制御手段と、を具備する内燃機関用過給システムにおいて、作動中の前記電動コンプレッサのチョークの発生を予測するチョーク発生予測手段を更に具備し、前記チョーク発生予測手段が前記チョークの発生を予測した場合には、前記電動コンプレッサ制御手段は前記電動コンプレッサを非作動とするとともに、前記切替弁制御手段は前記バイパス通路に空気が流入するように前記切替弁を開弁することにより、上述した課題を解決する（請求項７）。
【００１９】
電動コンプレッサの作動中に機関回転数が上昇し、電動コンプレッサに吸入される空気量が過剰になると、電動コンプレッサがチョークを起こすおそれがある。電動コンプレッサがチョークした場合、これを作動しても過給の効果はなく、エネルギーの浪費となる。この発明によれば、電動コンプレッサがチョークすることを事前に予測できるので無駄な過給アシストが回避される。しかも、チョークを防止するために電動コンプレッサの容量を大きくする必要がない。これにより、燃費悪化を抑制することができる。更に、チョークの発生を回避することができるので、システムの信頼性が高まる。
【００２０】
本発明の第５の内燃機関用過給システムにおいて、前記電動コンプレッサの下流の前記吸気通路の圧力を検出又は推定する下流吸気圧力検出手段を更に具備し、前記チョーク発生予測手段は、前記吸気圧力検出手段の検出結果が所定圧力以下に低下していることを条件として前記チョークの発生を予測してもよい（請求項８）。電動コンプレッサがチョークを起こす場合、この下流圧力が急激に低下する。この態様のように、電動コンプレッサの下流の圧力を監視して、許容できる当該圧力の下限値として所定圧力を定めておけば、効果的に電動コンプレッサのチョークの発生を予測し、これを回避することができる。
【００２１】
本発明の第５の内燃機関用過給システムにおいて、吸入空気の質量流量を検出又は推定する吸入空気量検出手段を更に具備し、前記チョーク発生予測手段は、前記電動コンプレッサ又は内燃機関の回転数に基づいて前記電動コンプレッサの限界吸入空気量を推定する限界吸入空気量推定手段を備え、前記吸入空気量検出手段の検出結果を判定値とするとともに、該判定値が前記限界吸入空気量推定手段により推定された限界吸入空気量に達していることを条件として前記チョークの発生を予測してもよい（請求項９）。電動コンプレッサの吸入空気量は、電動コンプレッサの回転数、或いは内燃機関の回転数から算出することができる。従って、電動コンプレッサの回転数、或いは内燃機関の回転数に基づいて、チョークを回避可能な電動コンプレッサの吸入空気量の許容限度を限界吸入空気量として推定し、この推定結果と現在の吸入空気量とを比較することにより、電動コンプレッサのチョークの発生を予測することができる。しかも、エアフロメータ等の吸入空気量検出手段や内燃機関の回転数センサ等は、通常、内燃機関に搭載されている。また、電動コンプレッサの回転数はモータ等の駆動装置から容易に取得できる。従って、この態様によれば、これらのセンサ等を利用して電動コンプレッサのチョークの発生を予測できるので、チョークの発生を予測するために別途圧力センサを設ける必要がなく、コストを低減することができる。
【００２２】
本発明の第５の内燃機関用過給システムにおいて、前記電動コンプレッサの上流の吸気圧力を検出又は推定する上流吸気圧力検出手段と、前記電動コンプレッサの上流の吸気温度を検出又は推定する上流吸気温度検出手段とを更に具備し、前記チョーク発生予測手段は、前記吸気圧力検出手段及び前記吸気温度検出手段の検出結果に基づいて前記吸入空気量検出手段の検出結果を体積流量に変換し、該変換された値を前記判定値として用いてもよい（請求項１０）。一般に電動コンプレッサの回転数又は機関回転数から推定される限界空気量は、体積流量として与えられる。一方、エアフロメータ等の吸入空気量検出手段で検出される空気流量は質量流量として検出される。従って、この態様のように、質量流量で検出される吸入空気量を、電動コンプレッサの上流の吸気圧力及び吸気温度に基づいて体積流量に変換して、これを判定値として用いれば、より精度の高いチョークの発生の予測が可能となる。
【００２３】
本発明の第５の内燃機関用過給システムにおいて、前記電動コンプレッサの下流の吸気温度を検出又は推定する下流吸気温度検出手段を更に具備し、前記チョーク発生予測手段は、前記吸気温度検出手段の検出結果が所定温度以上になったことを条件として前記チョークの発生を予測してもよい（請求項１１）。チョークが発生しそうになると、電動コンプレッサの下流の吸気温度は次第に上昇する。従って、この態様によればチョークの発生を回避するために許容できる温度範囲の上限値として所定温度を定めることにより、電動コンプレッサのチョークの発生を予測することができる。また、この態様において、電動コンプレッサがターボ過給機のコンプレッサの上流に位置する構成とした場合には、前記チョーク発生予測手段は、前記下流吸気温度検出手段の検出結果と大気温度との差が所定温度差以上になったことを条件として前記チョークの発生を予測することが好ましい（請求項１２）。また、電動コンプレッサがターボ過給機のコンプレッサの下流に位置する構成とした場合には、前記電動コンプレッサの下流の吸気温度を検出又は推定する下流吸気温度検出手段と、前記電動コンプレッサの上流の吸気温度を検出又は推定する上流吸気温度検出手段とを更に具備し、前記チョーク発生予測手段は、前記下流吸気温度検出手段の検出結果と前記上流吸気温度検出手段の検出結果との差が所定温度差以上になったことを条件として前記チョークの発生を予測することが好ましい（請求項１３）。これらの所定温度差は、チョークの発生を回避するために許容できる温度差の範囲の上限値として定めればよい。
【００２４】
また、本発明の第５の内燃機関用過給システムにおいて、電動コンプレッサの入口圧力を検出又は推定する圧力検出手段を更に具備し、前記チョーク発生予測手段は、前記圧力検出手段の検出結果が所定圧力以下になったことを条件として前記チョークの発生を予測してもよい（請求項１４）。この態様において、電動コンプレッサがターボ過給機のコンプレッサの上流に位置する場合には、電動コンプレッサの入口圧力を検出又は推定する圧力検出手段を更に具備し、前記チョーク発生予測手段は、前記圧力検出手段の検出結果と大気圧力との差が所定圧力差以下になったことを条件として前記チョークの発生を予測することが好ましい（請求項１５）。この場合、大気圧力との差を判定値として用いているので、例えば高地においても正確なチョークの予測が可能となる。また、電動コンプレッサがターボ過給機のコンプレッサの下流に位置する場合には、前記電動コンプレッサの下流の前記吸気通路の圧力を検出又は推定する下流吸気圧力検出手段と、前記電動コンプレッサの入口圧力を検出又は推定する入口圧力検出手段とを更に具備し、前記チョーク発生予測手段は、前記下流吸気圧力検出手段の検出結果と前記入口圧力検出手段の検出結果との差が所定圧力差以下になったことを条件として前記チョークの発生を予測することがより好ましい（請求項１６）。これらの所定圧力差は、チョークの発生を回避するために許容できる圧力差の範囲の上限値として定めればよい。
【発明の効果】
【００２５】
以上説明したように本発明によれば、無駄な過給アシストを防止して燃費悪化を抑制することができ、実用性に優れた内燃機関用過給システムを提供することができる。
【発明を実施するための最良の形態】
【００２６】
（第１実施形態）
本発明の第１実施形態に係る内燃機関用過給システムを図１〜図１６を参照しながら説明する。図１は本実施形態の全体構成を示す概略図である。本過給システムは内燃機関としてのディーゼルエンジン（以下エンジンと称することがある）１に適用され、ターボ過給機２と、電動コンプレッサ３とを備えている。ターボ過給機２は周知のように吸入した空気を圧縮するコンプレッサ２ａとコンプレッサ２ａを駆動させるためのタービン２ｂとを有している。コンプレッサ２ａは、吸気通路としての吸気管４に設けられている。また、タービン２ｂは排気管５に設けられている。ターボ過給機２は、排気管５を流れる排気ガスによってタービン２ｂを回転してコンプレッサ２ａを駆動する。これにより、所望の過給圧を得ることができる。
【００２７】
一方、電動コンプレッサ３はターボ過給機２の上流側の吸気管４に設けられている。電動コンプレッサ３はその駆動装置として電気モータ３ａを備えている。電気モータ３ａは図示しない電源に接続されている。電気モータ３ａを駆動することにより、電動コンプレッサ３は作動し、吸気管４内の空気を圧縮することができる。
【００２８】
ターボ過給機２と電動コンプレッサ３とを作動することにより、所望の過給圧を得ることができる。ターボ過給機２は上述したように排気ガスのエネルギーを利用しているため、所望の過給圧が得られるまでにタイムラグを生じる（いわゆるターボラグ）。特に、低速走行時に急加速が要求された場合に顕著である。そこで、このターボラグを補償し、所望の過給圧が得られるまでターボ過給機をアシストすべく電動コンプレッサ３により過給アシストが行われる。
【００２９】
また、本過給システムにおいては、電動コンプレッサ３を迂回するバイパス通路６が設けられている。バイパス通路６の途中には、バイパス通路６への空気の流入及びその禁止を切り替える切替弁としてのバイパス弁７が設けられている。バイパス弁７は電動コンプレッサ３が作動中の場合には基本的に閉弁され、バイパス通路６への空気の流入が禁止される。従って、電動コンプレッサ３の上流側の空気は全て電動コンプレッサ３に導かれる。一方、電動コンプレッサ３が非作動の場合には基本的に開弁され、バイパス通路６へ空気が導かれる。バイパス弁７はソレノイド等でリニアに駆動してもよいが、開弁及び閉弁を切り替えることができればよい。また、図２（Ａ）及び（Ｂ）に示したように、バイパス弁７として、電動コンプレッサ３の下流の圧力Ｐｉと、バイパス通路６の入口の圧力Ｐａとの圧力のバランスで駆動するシャッターバルブを備えてもよい。この場合はバイパス弁７の制御が不要となるので、構造をシンプルにできる。
【００３０】
図１に示したように、ターボ過給機２のコンプレッサ２ａの下流側の吸気管４には、コンプレッサ２ａにより圧縮された空気を冷却するためにインタークーラ８が設けられている。これにより過給効率を高めることができる。さらに、上記と同様の理由から電動コンプレッサ３とターボ過給機２のコンプレッサ２ａの間の吸気管４にインタークーラ９が設けられている。このインタークーラ９を設けることにより、更なる過給効率の向上を図ることができるが、常に設ける必要はない。また、電動コンプレッサ３の上流側の吸気管４には吸入空気の異物を除去するエアクリーナ１０が設けられている。
【００３１】
また、電気モータ３ａは発熱するため冷却することが好ましい。この場合、空冷では冷え難くく電動コンプレッサ３の作動時間が限定されるおそれがある。そこで、例えば図３に示したように、電気モータ３ａの周囲を、ラジエータ１１により冷却水Ｗを循環させる冷却システムを採用してもよい。このラジエータ１１はエンジン１に用いられるものと兼用してもよいが、エンジン１の冷却水は温度が高いので電動コンプレッサ３のために別途用意したほうがなお好ましい。この場合の冷却水Ｗの温度は３０℃程度がよい。さらに、このラジエータ１１をターボ過給機２のコンプレッサ２ａの冷却に用いることもできる。このように構成すれば、重大な問題となるコーキング対策として非常に有効である。
【００３２】
以上の構成により、電動コンプレッサ３が作動中のときは、エアクリーナ１０を通過した吸入空気は、電動コンプレッサ３にて圧縮された後、ターボ過給機２のコンプレッサ２ａに導かれて更に圧縮されて所望の過給圧によりエンジン１に導かれる。
【００３３】
図１に示したように、本実施の形態に係るエンジン１は排気エミッションの対策としてＥＧＲ（Ｅｘｈａｕｓｔ  Ｇａｓ  Ｒｅｃｉｒｃｕｌａｔｉｏｎ：排気ガス再循環）システム１２が採用されている。このＥＧＲシステム１２は、排気還流通路１３を備え、この排気還流通路１３の途中に、還流される排気ガスを冷却するＥＧＲクーラ１４及び排気ガスの還流量を調整するＥＧＲ弁１５をそれぞれ含む。排気還流通路１３の入口側は、ターボ過給機２のタービン２ｂの下流の排気管５に接続され、出口側は上述したバイパス弁７の上流側の吸気管４に接続されている。これにより、排気ガスの一部を吸気管４に還流することができる。このようなＥＧＲシステム１２の配置はいわゆるロープレッシャーループと称されている。なお、排気還流通路１３の出口側の接続部を図１に示した位置としたのは、吸気管４の他の場所よりも負圧になり易く排気還流の実施に適しているためである。また、この出口側の接続部よりも上流側の吸気管４には、スロットル弁１６が設けられている。このスロットル弁１６は、吸入空気量を調整することができ、排気還流率（ＥＧＲ率）を調整するために用いることができる。従って、スロットル弁１６は、その開度をリニアに変更することができるように、ソレノイド等にて駆動されている。なお、上記ＥＧＲ率は次式で定義される。
【００３４】
ＥＧＲ率＝排気ガス量／（新気量  ＋  排気ガス量）
【００３５】
以上のように構成された本実施形態の過給システムは主にエンジン１の燃料噴射量等を制御するエンジンコントロールユニット（ＥＣＵ）１７により制御される。ＥＣＵ１７はマイクロプロセッサ、ＲＯＭ及びＲＡＭ等の周辺機器を備えたコンピュータユニットとして構成されている。ＥＣＵ１７は後述する各種センサの入力情報に基づいて、電動コンプレッサ３及びバイパス弁７をそれぞれ制御する。
【００３６】
図１に示したように、本実施形態に係る過給システムは、アクセルの開度及びその変化量を検出するアクセル開度センサ２０、機関回転数を検知する回転数センサ２１、エンジン１の図示しない吸気マニホールド内に設けられ、吸気管４内の圧力（過給圧）を検出する吸気通路圧力検出手段としての過給圧センサ２２、ターボ過給機２のコンプレッサ２ａとインタークーラ８との間の吸気管４内の吸気温度を検出するターボコンプレッサ出口温度検出手段としての温度センサ２３、ターボ過給機２の回転数を検出するターボ回転数検出手段としてのターボ回転数センサ２４、電動コンプレッサ３の下流の吸気管の圧力を検出する下流吸気圧力検出手段としての圧力センサ２５、吸気管４内に流入する空気の質量流量を検出する吸入空気量検出手段としてのエアフロメータ２６、エアフロメータ２６に内蔵され、吸気管に流入する空気の圧力を検出する上流吸気圧力検出手段としての圧力センサ２６ａ、エアフロメータ２６に内蔵され、吸気管４に流入する空気の温度を検出する上流吸気温度検出手段としての温度センサ２６ｂ、電動コンプレッサ３とインタークーラ９との間の吸気管４に設けられ、電動コンプレッサ３の下流の吸気温度を検出する下流吸気温度検出手段としての温度センサ２７、電動コンプレッサ３の入口近傍に設けられ、電動コンプレッサ３へ吸入する空気の圧力を検出する入口圧力検出手段としての圧力センサ２８、をそれぞれ備えている。これらの各種センサは、以下に説明する制御態様に応じて適宜に利用される。なお、これらの各種センサは検出対象となる物理量そのものを検出するセンサでも良いし、この物理量を推定するものでも良い。
【００３７】
図４は、本実施形態に係る過給システムの制御ルーチンの概要を示したフローチャートである。本制御ルーチンはＥＣＵ１７のＲＯＭ等に格納されたプログラムに従って所定間隔で繰り返し実行される。本制御ルーチンをＥＣＵ１７に実行させることにより、ＥＣＵ１７は、過給アシスト要求判定手段、電動コンプレッサ制御手段、燃料噴射量推定手段、切替弁制御手段、過剰アシスト抑制手段、チョーク発生予測手段、及び限界空気量推定手段としてそれぞれ機能する。
【００３８】
図４に示したように、ＥＣＵ１７は、まずステップＳ１において電動コンプレッサ３が非作動（ＯＦＦ）状態にあるか否かを判定する。ステップＳ１において電動コンプレッサ３が非作動状態であると肯定判定されたときは、ＥＣＵ１７はステップＳ２に処理を進め、電動コンプレッサ３の作動開始条件が成立しているか否かを判定する。電動コンプレッサ３の作動開始条件が成立していない場合には、今回のルーチンを終える。一方、この作動開始条件が成立していると判定された場合には、ＥＣＵ１７は、ステップＳ３において電気モータ３ａ（図１参照）に電圧を印加して電動コンプレッサ３を作動させる（電動コンプレッサ作動制御）。そして、図１に示したバイパス弁７を閉じてバイパス通路６への空気の流入を禁止する（切替弁閉制御）。更に、上述したスロットル弁１６を全開にして（スロットル弁開制御）、今回のルーチンを終了する。これにより、電動コンプレッサ３の過給アシストが実現される。また、ステップＳ３において電動コンプレッサ３を作動する場合にはバイパス弁７を閉じているので、吸入空気がパイパス通路６を逆流することが防止できる。
【００３９】
一方、ステップＳ１において、電動コンプレッサ３が作動状態にあると否定判定された場合には、ＥＣＵ１７は処理をステップＳ４に進める。ステップＳ４では、電動コンプレッサ３の非作動条件が成立しているか否かを判定する。この条件が成立していない場合は、今回のルーチンを終了する。一方、この非作動条件が成立している場合には、ＥＣＵ１７は処理をステップＳ５に進め、電気モータ３ａへの電力の供給を停止して電動コンプレッサ３を非作動とする（電動コンプレッサ非作動制御）。そして、図１に示したバイパス弁７を開き、バイパス通路６に空気が流入するように制御する（切替弁開制御）。電動コンプレッサ３を非作動とするときには、これを迂回してバイパス通路６に吸入空気を導くことができるので、電動コンプレッサ３が吸気抵抗となることを防止できる。なお、スロットル弁１６に対してはエンジン１の運転状態に応じて通常行われる制御を実行する（成り行き制御）。上記ステップＳ３及びステップＳ５をＥＣＵ１７が実行することにより、ＥＣＵ１７は電動コンプレッサ制御手段及び切替弁制御手段としてそれぞれ機能する。
【００４０】
次に、上記ステップＳ２における電動コンプレッサ３の作動開始条件の成立の判断の詳細について図５及び図６を参照しながら説明する。本実施形態において、ＥＣＵ１７は、加速要求の程度に応じて上記作動開始条件の成否を判断し、以下に説明する処理を実行することにより過給アシスト要求判定手段として機能する。なお、加速要求の程度は、アクセル開度センサ２０の出力値のみで判断することもできるが、本実施形態の第１の態様は、アクセル開度に応じて要求燃料噴射量を推定し、その推定結果が所定燃料噴射量以上になることを条件として過給アシスト要求があると判断し、上記作動開始条件の成立を肯定するものである。
【００４１】
具体的には、図５に示したように、ＥＣＵ１７は、まずステップＳ２０１においてアクセル開度センサ２０及び回転数センサ２１（図１参照）の出力値を参照し、アクセル開度及び機関回転数の値を取得する。次に、ステップＳ２０２において、予めアクセル開度及び機関回転数に関連付けて要求燃料噴射量を実験的に求め、これをＥＣＵ１７のＲＯＭに格納しておいた燃料噴射量マップに基づいて、要求燃料噴射量の値を推定する。このステップＳ２０２を実行することによりＥＣＵ１７は燃料噴射量推定手段として機能する。
【００４２】
続くステップＳ２０３においては、ＥＣＵ１７はこの推定された燃料噴射量が所定燃料噴射量以上であるか否かを判断する。このステップＳ２０３で肯定判定された場合には、上記作動開始条件の成立が肯定され（ステップＳ２０４）、図４に示したステップＳ３において電動コンプレッサ作動制御及び切替弁閉制御が実行される。
【００４３】
一方、ステップＳ２０３で否定判定された場合には、上記作動開始条件の成立が否定される（ステップＳ２０５）。この所定燃料噴射量は、電動コンプレッサ３による過給アシストが必要な要求燃料噴射量の範囲の下限値として定めておく。これにより、過給アシストが必要な適切な時期に過給アシストが実行される。よって、アクセル開度のみで過給アシスト要求の有無を判断する態様と比べ、無駄な過給アシストを抑制することができる。また、この要求燃料噴射量の値は、排気エミッション悪化防止等の観点から補正され、最終的にインジェクタに指示される燃料噴射量指令値とは異なり、加速の意思が正確に反映される値である。従って、的確な時期に過給アシストを行うことができる。
【００４４】
次に、本実施形態の第２の態様は、過給圧センサ２２（図１参照）の検出結果と、機関回転数及び燃料噴射量に応じて定められる目標圧力とを比較し、これらの差が所定圧力差以上になることを条件として過給アシスト要求があると判断し、上記作動開始条件の成立を肯定するものである。
【００４５】
具体的には、図６に示したように、ＥＣＵ１７は、まずステップＳ２１１において過給圧センサ２２（図１参照）の出力値を参照し、吸気管４内の圧力、即ち過給圧の値を取得する。次に、ステップＳ２１２において、回転数センサ２１（図１参照）の出力値を参照して、機関回転数の値を取得する。続いて、ステップＳ２１３において、燃料噴射量の値を取得する。燃料噴射量の値は、上述した燃料噴射量マップを参照してアクセル開度と機関回転数の値から推定すればよい。
【００４６】
次に、ステップＳ２１４において、ＥＣＵ１７はステップＳ２１２及びＳ２１３にて取得した機関回転数及び燃料噴射量の値から、目標圧力としての吸気通路圧力（過給圧）を定める。この態様では、予め機関回転数及び燃料噴射量に関連付けて目標圧力を実験的に求め、これをＥＣＵ１７のＲＯＭに格納しておいた目標圧力マップに基づいて目標圧力を推定している。続くステップＳ２１５では、ステップＳ２１１で取得した過給圧の値と、ステップＳ２１４で定めた目標圧力との差を求める。次に、ステップＳ２１６にて当該差が所定圧力差以上であるか否かを判断する。このステップＳ２１６で肯定判定された場合に上記作動開始条件の成立が肯定される（ステップＳ２１７）。一方、ステップＳ２１６で否定判定された場合には、上記作動開始条件は否定される（ステップＳ２１８）。目標圧力と現在の圧力の差が大きいほど過給不足であるので、この所定圧力差は電動コンプレッサ３による過給アシストが必要となる圧力差の範囲の下限値として定めておく。これにより、過給アシストが必要な適切な時期に、電動コンプレッサ３による過給アシストが実行される。
【００４７】
次に、図４に示したステップＳ４における電動コンプレッサ３の非作動条件の成立の判断の詳細について説明する。本実施の形態では、電動コンプレッサ３による過剰なアシストの防止、ＥＧＲシステムとの関係、及び電動コンプレッサのチョーク発生の防止の各観点から、ＥＣＵ１７は上記非作動条件の成否を判定する。
【００４８】
即ち、図７に示したように、ＥＣＵ１７は、ステップＳ４０１において、過剰アシストが行われるおそれがあるか否かを判断し、ステップＳ４０２において、排気ガスを還流させる状態にあるか否かを判断し、ステップＳ４０３において、電動コンプレッサ３がチョークするおそれがあるか否かを判断する。これらのうち少なくとも一つが肯定された場合は、上記非作動条件の成立が肯定され（ステップＳ４０４）、図４に示したように電動コンプレッサ非作動制御及び切替弁開制御が実行される。一方、これらの全てが否定された場合には、上記非作動条件の成立は否定され（ステップＳ４０５）、電動コンプレッサ３による過給アシストが続行される。以下、図７に示した各判断ステップＳ４０１〜４０３のより具体的な実施態様を図８〜図１６を参照しながら説明する。
【００４９】
図８及び図９に示したように、ＥＣＵ１７は電動コンプレッサ３による過剰なアシストを防止する観点から、過剰なアシストが行われるおそれがあると判断した場合には上記非作動条件の成立を肯定する。電動コンプレッサ３により過剰なアシストが行われると、燃費悪化を招くばかりでなく、ターボ過給機２が過回転したり吸気温度が上昇する。これにより、電動コンプレッサ３やターボ過給機２に対して過大な負荷を課すことになるためである。ＥＣＵ１７がこれらの図に示した処理を実行することにより、ＥＣＵ１７は過剰アシスト抑制手段として機能する。
【００５０】
具体的には、図８に示したように、ＥＣＵ１７はステップＳ４１１においてターボ回転数センサ２４（図１参照）の出力値を参照してターボ過給機２の回転数を取得する。次にステップＳ４１２において、ターボ過給機２の回転数が所定回転数以上であるか否かを判断する。このステップＳ４１２で肯定判定された場合には、過剰アシストが行われるおそれがあると判断され（ステップＳ４１３）、上記非作動条件の成立が肯定される（図７ステップＳ４０４）。これにより、ターボ過給機２の回転数を監視してターボ過給機の過回転を事前に回避し、過剰な過給アシストを抑制することができる。この所定回転数は、ターボ過給機２の過回転を防止する観点から、ターボ過給機２の回転数の許容範囲の上限値として定められている。一方、ステップＳ４１２で否定判定された場合には、過剰アシストが行われるおそれはないと判断され（ステップＳ４１４）、図７に示したステップＳ４０２の判断に進む。
【００５１】
また、ターボ過給機２の過回転は、ターボ過給機２のコンプレッサ２ａの下流の吸気温度で監視することもできる。この吸気温度はターボ過給機２の回転数と相関する物理量であるため、ターボ過給機２の回転数を直接監視しなくてもよい。具体的には、図９に示したように、ＥＣＵ１７は、まずステップＳ４１５において温度センサ２３（図１参照）の出力値を参照してターボ過給機２の下流の吸気温度を取得する。次にステップＳ４１６において、ステップＳ４１５にて取得した吸気温度が所定温度以上であるか否かを判定する。この所定温度は、ターボ過給機２の回転数の許容範囲に対応する吸気温度の許容範囲の上限値として与えられている。従って、ステップＳ４１６にて所定温度以上であると肯定された場合には、過剰アシストが行われるおそれがあると判断され（ステップＳ４１７）、上記非作動条件の成立が肯定される（図７ステップＳ４０４）。一方、ステップＳ４１６で否定判定された場合には、過剰アシストが行われるおそれはないと判断され（ステップＳ４１８）、図７に示したステップＳ４０２の判断に進む。
【００５２】
図１０に示したように、ＥＣＵ１７はＥＧＲシステム１２との関係を考慮して、排気ガスを還流させる状態にある場合には上記非作動条件の成立を肯定する。電動コンプレッサ３を作動すると、吸気系の圧力変動を生じるので排気還流を実施する際に電動コンプレッサによる過給アシストが外乱となり、効果的な排気還流を妨げるおそれがあるためである。
【００５３】
具体的には、ＥＣＵ１７は図１０に示したように、まずステップＳ４２１において回転数センサ２１（図１参照）の出力値を参照して機関回転数の値を取得する。続くステップＳ４２２において燃料噴射量の値を取得する。燃料噴射量の値は、上述した燃料噴射量マップを参照してアクセル開度と機関回転数の値から推定すればよい。次に、ＥＣＵ１７は、ステップＳ４２３において、機関回転数と燃料噴射量とに基づいて排気還流の実施領域及び不実施領域を定め、予めＥＣＵ１７のＲＯＭに格納しておいたマップを参照する。そして、ステップＳ４２１及びＳ４２２で取得した機関回転数及び燃料噴射量の値から排気還流の実施領域に入っているか否かを判定する。
【００５４】
ステップＳ４２３にて排気還流の実施領域に入っていると肯定判定された場合には、排気ガスを還流させる状態にあると判断され（ステップＳ４２４）、上記非作動条件の成立が肯定される（図７ステップＳ４０４）。一方、ステップＳ４２３において否定判定された場合には、排気ガスを還流させる状態にないと判断され（ステップＳ４２５）、図７に示したステップＳ４０３の判断に進む。なお、本実施形態では機関回転数と燃料噴射量とに基づいて排気還流の実施領域及び不実施領域を定めたマップを用いて、排気ガスを還流させる状態にあるか否かを判定したが、ＥＧＲ弁１５（図１参照）に、例えばこのリフト量を検出するセンサを設け、このセンサの出力値に基づいて排気ガスを還流させる状態にあるか否かを判定してもよい。
【００５５】
また、本実施形態では、図１に示したように、ＥＧＲシステム１２としてロープレッシャーループの配置を採用しているが、システムの配置に限定されない。従って、図１１に示したように、ＥＧＲシステム１２として、ターボ過給機２のタービン２ｂの上流の排気管５からコンプレッサ２ａの下流の吸気管に排気ガスを還流させるハイプレッシャーループの配置を採用してもよい。なお、図１１において、図１に示したものと同一の構成については同一符号を付して詳しい説明を省略する。
【００５６】
図１２〜図１６に示したように、ＥＣＵ１７は電動コンプレッサ３のチョーク発生防止の観点から、チョークの発生が予測される場合には上記非作動条件の成立を肯定する。電動コンプレッサの作動中に機関回転数が上昇し、電動コンプレッサに吸入される空気量が過剰となると、電動コンプレッサがチョークを起こすおそれがある。電動コンプレッサがチョークした場合、これを作動しても過給アシストの効果はなく、エネルギーの浪費となるためである。ＥＣＵ１７が図１２〜図１６に示した処理を実行することにより、ＥＣＵ１７はチョーク発生予測手段として機能する。具体的には、以下に説明する処理を実行することにより、電動コンプレッサのチョークの発生を予測することができる。
【００５７】
図１２に示したように、ＥＣＵ１７はステップＳ４３１において、圧力センサ２５（図１参照）の出力値を参照して、電動コンプレッサ３の下流の吸気圧力を取得する。次にステップＳ４３２において、ステップＳ４３１にて取得した吸気圧力が所定圧力以下に低下しているか否かを判定する。この所定圧力は、チョークを回避できる許容圧力範囲の下限値として定めておく。従って、ステップＳ４３２においてこの所定圧力以下に低下している場合には、チョークの発生が予測されると判断し（ステップＳ４３３）、上記非作動条件の成立が肯定される（図７ステップＳ４０４）。一方、ステップＳ４３２において否定判定された場合は、チョークの発生が予測されないと判断し（ステップＳ４３４）、上記非作動条件の成立が否定される（図７ステップＳ４０５）。
【００５８】
また、他の態様として、図１３に示したように、ＥＣＵ１７はステップＳ４３５において、電気モータ３ａ（図１参照）から電動コンプレッサ３の回転数を取得する。次に、ステップＳ４３６において、エアフロメータ２６（図１参照）の出力値を参照して吸入空気の質量流量を取得する。続くステップＳ４３７では、ステップＳ４３５で取得した回転数から電動コンプレッサの限界吸入空気量を推定する。このステップＳ４３７をＥＣＵ１７が実行することにより、ＥＣＵ１７は限界吸入空気量推定手段として機能する。
【００５９】
具体的には、図１４に示したように、電動コンプレッサ３の回転数に応じてチョークが発生する限界吸入空気量を定めることができる。即ち、電動コンプレッサ３がチョークしそうになると（図中チョーク発生領域に近づくと）、電動コンプレッサ３の出口に対する入口の圧力比が１に近づいてくるので、予めこの付近の電動コンプレッサの回転数に対応した空気流量を限界吸入空気量として定めておき、これをマップとしてＥＣＵ１７のＲＯＭに格納しておく。そして、このマップとステップＳ４３５で取得した回転数から限界吸入空気量を推定することができる。なお、この限界吸入空気量の推定に際し、上記と同様の手法でエンジン１の機関回転数に基づいて限界吸入空気量を推定してもよい。機関回転数は、回転数センサ２１（図１参照）より取得することができる。
【００６０】
図１３に戻り、続くステップＳ４３８では、ステップＳ４３６において取得した空気流量を判定値とし、この判定値とステップＳ４３７で推定した限界吸入空気量とを比較して、この限界吸入空気量に達しているか否かを判断する。このステップＳ４３８で肯定判定されたときは、チョークの発生が予測されると判断し（ステップＳ４３９）、上記非作動条件の成立が肯定される（図７ステップＳ４０４）。一方、ステップＳ４３５において否定判定された場合は、チョークの発生が予測されないと判断し（ステップＳ４４０）、上記非作動条件の成立が否定される（図７ステップＳ４０５）。
【００６１】
図１３に示す処理に用いられるセンサ類は、通常、車両に搭載されている。また、電動コンプレッサ３の回転数は電気モータ３ａから容易に取得できる。従って、この態様のように、これらのセンサ類を利用して電動コンプレッサのチョークの発生を予測すれば、チョークの発生を予測するために別途圧力センサ等を設ける必要がないので、コストを低減することができる。
【００６２】
なお、図１３に示した処理において、ステップＳ４３６で取得した空気流量を体積流量に変換し、これをステップＳ４３８における判定値として用いてもよい。一般に、電動コンプレッサ３の回転数又は機関回転数から推定される限界吸入空気量は、体積流量として与えられる。一方、エアフロメータ２６で検出される空気流量は質量流量として検出される。従って、質量流量で検出される吸入空気量を、電動コンプレッサ３の上流の吸気圧力及び吸気温度に基づいて質量流量に変換して、これを判定値として用いれば、より精度の高いチョークの発生の予測が可能となる。具体的には、ＥＣＵ１７は圧力センサ２６ａ及び温度センサ２６ｂ（図１参照）の出力値を参照して、電動コンプレッサ３の上流の圧力及び温度の値を取得する。そして、これらの値を周知の計算式に代入し、エアフロメータ２６で検出された空気流量を質量流量に変換すればよい。
【００６３】
また、更なる他の態様として、図１５に示したように、ＥＣＵ１７はステップＳ４４１において、温度センサ２７（図１参照）の出力値を参照して電動コンプレッサ３の下流の吸気温度の値を取得する。次に、ステップＳ４４２において、ＥＣＵ１７はステップＳ４４１にて取得した吸気温度の値が所定温度以上であるか否かを判定する。チョークが発生しそうになると、電動コンプレッサ３の下流の吸気温度は次第に上昇する。この所定温度はチョークの発生を回避するために許容できる温度範囲の上限値として定めておく。従って、ステップＳ４４２において所定温度以上であると肯定判定された場合には、電動コンプレッサ３のチョークの発生が予測されると判断し（ステップＳ４４３）、上記非作動条件の成立が肯定される（図７ステップＳ４０４）。一方、ステップＳ４３８において否定判定されたときは、電動コンプレッサ３のチョークの発生が予測されないと判断し（ステップＳ４４４）、上記非作動条件の成立が否定される（図７ステップＳ４０５）。
【００６４】
なお、図１５に示した態様の変形例として、ステップＳ４４１にて取得した温度の値と大気温度との差を算出し、その差が所定温度差以上になるか否かを判定して、チョークの発生を予測してもよい。この変形例によれば、大気温度の変化を考慮することになるので、より正確にチョークの発生を予測することができる。この大気温度はエアフロメータ２６に内蔵された温度センサ２６ｂ（図１参照）の出力値より取得することができる。また、この所定温度差は、チョークの発生を回避するために許容できる温度差の範囲の上限値として定めればよい。
【００６５】
また、更なる他の態様として、ＥＣＵ１７は図１６に示したように、ステップＳ４４５において圧力センサ２８（図１参照）の出力値を参照して、電動コンプレッサ３の入口圧力の値を取得する。次に、ステップＳ４４６において、ＥＣＵ１７はステップＳ４４５にて取得した入口圧力の値が所定圧力以下であるか否かを判定する。チョークが発生しそうになると、電動コンプレッサ３の入口の圧力は次第に低下してゆく。この所定圧力はチョークの発生を回避するために許容できる入口圧力の下限値として定めておく。従って、ステップＳ４４６にて肯定判定されたときは、チョークの発生が予測されると判断し（ステップＳ４４７）、上記非作動条件の成立が肯定される（図７ステップＳ４０４）。一方、ステップＳ４４０において否定判定されたときは、チョークの発生が予測されないと判断し（ステップＳ４４８）、上記非作動条件の成立が否定される（図７ステップＳ４０５）。
【００６６】
なお、図１６に示した態様の変形例として、ステップＳ４４５にて取得した入口圧力の値と大気圧との差を算出し、この差が所定圧力差以下になるか否かを判定して、チョークの発生を予測してもよい。この変形例によれば、大気圧との差を求めてチョークの発生の判断基準としているので、大気圧の変動を考慮した判断が可能となる。従って、例えば高地においても正確なチョークの予測が可能となる。この大気圧はエアフロメータ２６に内蔵された圧力センサ２６ａ（図１参照）の出力値より取得することができる。また、この所定圧力差は、チョークの発生を回避するために許容できる圧力差の範囲の下限値として定めればよい。
【００６７】
（第２実施形態）
次に、本発明の第２実施形態に係る内燃機関用過給システムについて説明する。本実施形態は、図１７に示したように、ターボ過給機２のコンプレッサ２ａの下流側の吸気管４に電動コンプレッサ３を配置したものである。また、ＥＧＲシステム１２として、ハイプレッシャーループが採用されている。このため、スロットル弁１６が電動コンプレッサ３の下流側の排気管４に設けられている。他の構成及び本実施形態に係る過給システムの基本的な作用は上記第１実施形態と同様である。また、電動コンプレッサ３の作動及び非作動の制御についても、第１実施形態において説明したものを基本的にそのまま実施することができる。従って、第１実施形態と共通する構成には同一の符号を付すこととし、第１実施形態の説明と重複する説明は省略する。以下、本第２実施形態と相違する部分について説明する。
【００６８】
本実施形態では、ターボ過給機２のコンプレッサ２ａの下流側に電動コンプレッサ３が配置されているため、図１５に示した態様の変形例として、ステップＳ４４１にて取得した電動コンプレッサ３の下流の吸気温度の値と、電動コンプレッサ３とインタークーラ８との間の吸気温度との差を算出し、その差が所定温度差以上になるか否かを判定して、チョークの発生を予測することが好ましい。電動コンプレッサ３及びインタークーラ８間の吸気温度は、この温度を取得するための温度センサ２９を設け（図１７参照）、この出力値より取得することができる。また、この所定温度差は、チョークの発生を回避するために許容できる温度差の範囲の上限値として定めればよい。
【００６９】
また、本実施の形態では、図１６に示した態様の変形例として、ステップＳ４４５にて取得した電動コンプレッサ３の入口圧力の値に代えて、電動コンプレッサ３の出口圧力とターボ過給機２のコンプレッサ２ａの出口圧力との差を算出し、この差が所定圧力差以下になるか否かを判定して、チョークの発生を予測してもよい。電動コンプレッサ３の出口圧力は、圧力センサ２５（図１７）の出力値より取得することができる。また、ターボ過給機２のコンプレッサ２ａの出口圧力は、圧力センサ２３（図１７参照）の出力値より取得することができる。この態様において上記所定圧力差は、チョークの発生を回避するために許容できる圧力差の範囲の下限値として定めればよい。
【００７０】
以上本発明の内燃機関用過給システムについて、第１及び第２実施形態に基づいて説明したが、本発明はこれらに限定されない。例えば、第１及び第２の実施形態においては、本発明の過給システムの適用対象としてディーゼルエンジン１としたが、内燃機関の形式は問わない。従って、本発明を火花点火式のガソリンエンジンに適用してもよいし、他のガソリンエンジンに適用してもよい。
【００７１】
また、第１及び第２実施形態においては、ＥＧＲシステム１２が適用されたエンジン１を例に挙げて説明したが、本発明の第４の過給システム以外においては、ＥＧＲシステム１２の有無を問わず本発明を適用することができる。
【図面の簡単な説明】
【００７２】
【図１】本発明の第１実施形態に係る過給システムの全体構成を示す概略図。
【図２】バイパス弁の一例を示した図。
【図３】電気モータの周囲をラジエータにより冷却水を循環させる冷却システムの構成図。
【図４】第１実施形態に係る過給システムの制御ルーチンの概要を示したフローチャート。
【図５】作動開始条件の成否を判断する処理の第１の態様を示したフローチャート。
【図６】作動開始条件の成否を判断する処理の第２の態様を示したフローチャート。
【図７】非作動条件の成否を判断する処理を示したフローチャート。
【図８】過剰アシストの有無を判断する処理を示したフローチャート。
【図９】過剰アシストの有無を判断する他の処理を示したフローチャート。
【図１０】ＥＧＲを実施する状態にあるか否かを判断する処理を示したフローチャート。
【図１１】ＥＧＲシステムを他の配置例とした第１実施形態に係る過給システムの全体構成を示す概略図。
【図１２】電動コンプレッサのチョークの発生を予測する処理を示したフローチャート。
【図１３】電動コンプレッサのチョークの発生を予測する他の処理を示したフローチャート。
【図１４】電動コンプレッサの吸入空気流量と圧力比との関係を示した図。
【図１５】電動コンプレッサのチョークの発生を予測する他の処理を示したフローチャート。
【図１６】電動コンプレッサのチョークの発生を予測する他の処理を示したフローチャート。
【図１７】本発明の第２実施形態に係る過給システムの全体構成を示す概略図。
【符号の説明】
【００７３】
１  ディーゼルエンジン
２  ターボ過給機
２ａ  コンプレッサ
２ｂ  タービン
３  電動コンプレッサ
３ａ  電気モータ
４  吸気管（吸気通路）
６  バイパス通路
７  バイパス弁（切替弁）
１３  ＥＧＲ管（排気還流通路）
１４  ＥＧＲ弁（排気還流弁）
１７  ＥＣＵ
２２  過給圧センサ（吸気通路圧力検出手段）
２３  温度センサ（ターボコンプレッサ出口温度検出手段）
２４  ターボ回転数センサ（ターボ回転数検出手段）
２５  圧力センサ（下流吸気圧力検出手段）
２６  エアフロメータ（吸入空気量検出手段）
２６ａ  圧力センサ（上流吸気圧力検出手段）
２６ｂ  温度センサ（上流吸気温度検出手段）
２７  温度センサ（下流吸気温度検出手段）
２８  圧力センサ（入口圧力検出手段）
【図１】
2005220822.tif 000003
【図２】
2005220822.tif 000004
【図３】
2005220822.tif 000005
【図４】
2005220822.tif 000006
【図５】
2005220822.tif 000007
【図６】
2005220822.tif 000008
【図７】
2005220822.tif 000009
【図８】
2005220822.tif 000010
【図９】
2005220822.tif 000011
【図１０】
2005220822.tif 000012
【図１１】
2005220822.tif 000013
【図１２】
2005220822.tif 000014
【図１３】
2005220822.tif 000015
【図１４】
2005220822.tif 000016
【図１５】
2005220822.tif 000017
【図１６】
2005220822.tif 000018
【図１７】
2005220822.tif 000019